【手続補正書】
【提出日】平成20年7月14日(2008.7.14)
【手続補正１】
【補正対象書類名】明細書
【補正対象項目名】特許請求の範囲
【補正方法】変更
【補正の内容】
【特許請求の範囲】
【請求項１】
原料と水とを利用して水素リッチガスを生成する水素生成器と、その水素生成器からの前記水素リッチガスと酸化剤とを利用して発電する燃料電池と、その燃料電池からの燃料側排ガス中の水を凝縮させる凝縮器と、少なくとも前記凝縮器によって凝縮された水を溜める貯水タンクとを備え、前記貯水タンクに溜められた水がイオン交換樹脂で浄化された後、前記水素生成器において利用される燃料電池発電装置において、
前記凝縮器から前記貯水タンクへの水の流路に、大気開放された部位が存在する燃料電池発電装置。
【請求項２】
前記大気開放された部位として、前記凝縮器によって凝縮された水を一時的に溜める、大気開放された滞留部を備えた請求項１に記載の燃料電池発電装置。
【請求項３】
前記大気開放された部位として、前記凝縮器と前記貯水タンクとを接続する、経路の全部又は一部が大気開放されたパイプを備えた請求項１に記載の燃料電池発電装置。
【請求項４】
前記パイプには、水の流通を阻害する流通阻害物が設けられている請求項３に記載の燃料電池発電装置。
【請求項５】
前記流路に強酸性イオン交換樹脂が設けられている請求項１から４のいずれかに記載の燃料電池発電装置。
【請求項６】
前記流路の全部又は一部が断熱されている請求項１から５のいずれかに記載の燃料電池発電装置。
【請求項７】
原料と水とを利用して水素リッチガスを生成する水素生成器と、その水素生成器からの前記水素リッチガスと酸化剤とを利用して発電する燃料電池と、その燃料電池からの燃料側排ガス中の水を凝縮させる凝縮器と、少なくとも前記凝縮器によって凝縮された水を溜める貯水タンクとを備え、前記貯水タンクに溜められた水がイオン交換樹脂で浄化された後、前記水素生成器において利用される燃料電池発電装置において、
前記凝縮器から前記貯水タンクへの水の流路の前記貯水タンクへの水の注ぎ口が、前記貯水タンクの水面より上に設けられている燃料電池発電装置。
【請求項８】
原料と水とを利用して水素リッチガスを生成する水素生成器と、その水素生成器からの前記水素リッチガスと酸化剤とを利用して発電する燃料電池と、その燃料電池からの燃料側排ガス中の水を凝縮させる凝縮器と、少なくとも前記凝縮器によって凝縮された水を溜める貯水タンクとを備え、前記貯水タンクに溜められた水がイオン交換樹脂で浄化された後、前記水素生成器において利用される燃料電池発電装置における、前記凝縮器によって凝縮された水の前記貯水タンクへの供給方法であって、
前記凝縮器から前記貯水タンクへの水の流路において、前記凝縮器によって凝縮された水を大気に晒して前記貯水タンクへ供給する、燃料電池発電装置における燃料側排ガスの凝縮水の貯水タンクへの供給方法。
【請求項９】
原料と水とを利用して水素リッチガスを生成する水素生成器と、その水素生成器からの前記水素リッチガスと酸化剤とを利用して発電する燃料電池と、その燃料電池からの燃料側排ガス中の水を凝縮させる凝縮器と、少なくとも前記凝縮器によって凝縮された水を溜める貯水タンクとを備え、前記貯水タンクに溜められた水がイオン交換樹脂で浄化された後、前記水素生成器において利用される燃料電池発電装置における、前記凝縮器によって凝縮された水の前記貯水タンクへの供給方法であって、
前記凝縮器によって凝縮された水を、前記貯水タンクの水面より上方から前記貯水タンクに供給する、燃料電池発電装置における燃料側排ガスの凝縮水の貯水タンクへの供給方法。
【手続補正２】
【補正対象書類名】明細書
【補正対象項目名】００１０
【補正方法】変更
【補正の内容】
【００１０】
【課題を解決するための手段】
上記課題を解決するため、第１の本発明（請求項１に対応）は、原料と水とを利用して水素リッチガスを生成する水素生成器と、その水素生成器からの前記水素リッチガスと酸化剤とを利用して発電する燃料電池と、その燃料電池からの燃料側排ガス中の水を凝縮させる凝縮器と、少なくとも前記凝縮器によって凝縮された水を溜める貯水タンクとを備え、前記貯水タンクに溜められた水がイオン交換樹脂で浄化された後、前記水素生成器において利用される燃料電池発電装置において、
前記凝縮器から前記貯水タンクへの水の流路に、大気開放された部位が存在する燃料電池発電装置である。
【手続補正３】
【補正対象書類名】明細書
【補正対象項目名】００１６
【補正方法】変更
【補正の内容】
【００１６】
また、第７の本発明（請求項７に対応）は、原料と水とを利用して水素リッチガスを生成する水素生成器と、その水素生成器からの前記水素リッチガスと酸化剤とを利用して発電する燃料電池と、その燃料電池からの燃料側排ガス中の水を凝縮させる凝縮器と、少なくとも前記凝縮器によって凝縮された水を溜める貯水タンクとを備え、前記貯水タンクに溜められた水がイオン交換樹脂で浄化された後、前記水素生成器において利用される燃料電池発電装置において、
前記凝縮器から前記貯水タンクへの水の流路の前記貯水タンクへの水の注ぎ口が、前記貯水タンクの水面より上に設けられている燃料電池発電装置である。
【手続補正４】
【補正対象書類名】明細書
【補正対象項目名】００１７
【補正方法】変更
【補正の内容】
【００１７】
また、第８の本発明（請求項８に対応）は、原料と水とを利用して水素リッチガスを生成する水素生成器と、その水素生成器からの前記水素リッチガスと酸化剤とを利用して発電する燃料電池と、その燃料電池からの燃料側排ガス中の水を凝縮させる凝縮器と、少なくとも前記凝縮器によって凝縮された水を溜める貯水タンクとを備え、前記貯水タンクに溜められた水がイオン交換樹脂で浄化された後、前記水素生成器において利用される燃料電池発電装置における、前記凝縮器によって凝縮された水の前記貯水タンクへの供給方法であって、
前記凝縮器から前記貯水タンクへの水の流路において、前記凝縮器によって凝縮された水を大気に晒して前記貯水タンクへ供給する、燃料電池発電装置における燃料側排ガスの凝縮水の貯水タンクへの供給方法である。
【手続補正５】
【補正対象書類名】明細書
【補正対象項目名】００１８
【補正方法】変更
【補正の内容】
【００１８】
さらに、第９の本発明（請求項９に対応）は、原料と水とを利用して水素リッチガスを生成する水素生成器と、その水素生成器からの前記水素リッチガスと酸化剤とを利用して発電する燃料電池と、その燃料電池からの燃料側排ガス中の水を凝縮させる凝縮器と、少なくとも前記凝縮器によって凝縮された水を溜める貯水タンクとを備え、前記貯水タンクに溜められた水がイオン交換樹脂で浄化された後、前記水素生成器において利用される燃料電池発電装置における、前記凝縮器によって凝縮された水の前記貯水タンクへの供給方法であって、
前記凝縮器によって凝縮された水を、前記貯水タンクの水面より上方から前記貯水タンクに供給する、燃料電池発電装置における燃料側排ガスの凝縮水の貯水タンクへの供給方法である。
【手続補正６】
【補正対象書類名】明細書
【補正対象項目名】００２８
【補正方法】変更
【補正の内容】
【００２８】
水素排ガスは高濃度の二酸化炭素を含んでいるため凝縮器７で凝縮された水には溶存炭酸ガスが多く含まれている。凝縮水は凝縮水回収弁１８を開くことにより貯水タンク８に導かれる。この時、凝縮水回収弁１８の入口側の水を残した状態で閉じれば水素が貯水タンク８の方へ漏れてくることも、逆に空気が燃料側排ガスに混じることもなく安全である。
【手続補正７】
【補正対象書類名】明細書
【補正対象項目名】符号の説明
【補正方法】変更
【補正の内容】
【符号の説明】
１  燃料電池
２  改質器
３  燃焼部
７  凝縮器
８  貯水タンク
１０  水素側凝縮水回収部
９  冷却水タンク
１３ａ、ｂ  イオン交換器
１６  冷却水供給ポンプ
１７  改質水供給ポンプ
１８  凝縮水回収弁
１９  凝縮水回収流路
２０  滞留部
２３  強酸型イオン交換樹脂
２４  断熱材
２５  多孔質体